(57)【要約】【課題】パレットサポート枠を安定に積み重ねることができるようにしたものである。【解決手段】支柱と、支柱の上端又は下端に設けられたパレット台とを備えるパレットサポート枠を有し、パレット台間に物品収納空間を形成するように複数のパレットサポート枠を上下に積み重ねるようにしたパレットサポート枠装置において、  パレットサポート枠の上端部に、掛け金具が横軸廻りに回動自在に支持され、パレットサポート枠の下端部に、係止ピンが掛け金具に対応して設けられ、掛け金具は横軸廻り上方に回動することにより、上側のパレットサポート枠の係止ピンに係合可能とされ、  上側のパレットサポート枠の下端部を後側から係止するように、パレットサポート枠の上端部後側に係止片が上方突設されている。【選択図】図１０
2006182452.tif 000002
【特許請求の範囲】
【請求項１】
支柱（２，３）と、支柱（２，３）の上端又は下端に設けられたパレット台（４）とを備えるパレットサポート枠（１）を有し、パレット台（４）間に物品収納空間を形成するように複数のパレットサポート枠（１）を上下に積み重ねるようにしたパレットサポート枠装置において、
パレットサポート枠（１）の上端部に、掛け金具（４２）が横軸廻りに回動自在に支持され、パレットサポート枠（１）の下端部に、係止ピン（４６）が掛け金具（４２）に対応して設けられ、掛け金具（４２）は横軸廻り上方に回動することにより、上側のパレットサポート枠（１）の係止ピン（４６）に係合可能とされ、
上側のパレットサポート枠（１）の下端部を後側から係止するように、パレットサポート枠（１）の上端部後側に係止片（５４，６８）が上方突設されていることを特徴とするパレットサポート枠装置。
【請求項２】
前記掛け金具（４２）を係止ピン（４６）から抜け止めする抜け止め片（４９）が設けられていることを特徴とする請求項１に記載のパレットサポート枠装置。
【請求項３】
前記係止片（６８）は、上側のパレットサポート枠（１）の下端部後側の一部を上側から係合するように、鉤形に屈曲した係止部（６７）を有し、係止片（６８）は、上側のパレットサポート枠（１）の上方移動及び後方移動を規制するように構成されていることを特徴とする請求項１に記載のパレットサポート枠装置。
【請求項４】
前記パレットサポート枠（１）は、左右一対の前支柱（２）と、左右一対の後支柱（３）とを備え、前記パレット台（４）が左右一対の前支柱（２）及び左右一対の後支柱（３）の上端に設けられ、前記掛け金具（４２）が前支柱（２）の上端部に設けられ、前記係止ピン（４６）が後支柱（３）の後端部に設けられ、上側のパレットサポート枠（１）の前支柱（２）の下端部が外嵌するように、左右一対の前支柱（２）の上端に係合突起（４１）が突設されていることを特徴とする請求項１に記載のパレットサポート枠装置。
【発明の詳細な説明】
【技術分野】
【０００１】
本発明は、パレットサポート枠装置に関するものである。
【背景技術】
【０００２】
パレットに積載した物品を、複数段に積み重ねて保管するために用いられるパレットサポート枠には、支柱（例えば左右一対の前支柱及び左右一対の後支柱）と、支柱の上端又は下端に設けられたパレット台とを備え、パレット台間に物品収納空間を形成するように複数のパレットサポート枠が上下に積み重ねられる使用状態と、複数のパレットサポート枠が入れ子に積み重ねられる不使用状態とに、積み重ね可能とされたものがある。この種の従来のパレットサポート枠は、複数のパレットサポート枠を入れ子に積み重ねるときに、パレット台間にフォーク挿入空間を形成するようにパレット台間に介在される間隔ブロック等が固定して設けられていた（例えば特許文献１、特許文献２）。
【特許文献１】特開平５−４２９４１号公報
【特許文献２】登録実用新案公報第３０１８７１６号
【発明の開示】
【発明が解決しようとする課題】
【０００３】
従って、従来の場合、多数のパレットサポート枠をトラック等で輸送する際に、パレット台間にフォーク挿入空間を形成するように、パレット台間に間隔ブロック等を介在した状態で、複数のパレットサポート枠を入れ子に積み重ねて、トラック等のコンテナに収納していた。このため、パレット台間にフォーク挿入空間が形成されるため、トラックのコンテナ内等の限られたスペースに、多くのパレットサポートを積み込むことができず、トラック等による運送費用が高く付くという問題があった。また、パレットサポート枠を保管する際にも、パレット台間にフォーク挿入空間が形成されるため、保管効率が悪くなるという問題があった。
【０００４】
本発明は上記問題点に鑑み、パレットサポート枠をコンパクトに積み重ねて、より多くのパレットサポート枠をトッラク等に積み込むことができて、輸送費用が安上がりになるようにする共に、パレットサポート枠を保管する際の保管効率を高めることができるようにしたものである。
【課題を解決するための手段】
【０００５】
この技術的課題を解決するための本発明の技術的手段は、支柱と、支柱の上端又は下端に設けられたパレット台とを備えるパレットサポート枠を有し、パレット台間に物品収納空間を形成するように複数のパレットサポート枠を上下に積み重ねるようにしたパレットサポート枠装置において、
パレットサポート枠の上端部に、掛け金具が横軸廻りに回動自在に支持され、パレットサポート枠の下端部に、係止ピンが掛け金具に対応して設けられ、掛け金具は横軸廻り上方に回動することにより、上側のパレットサポート枠の係止ピンに係合可能とされ、
上側のパレットサポート枠の下端部を後側から係止するように、パレットサポート枠の上端部後側に係止片が上方突設されている点にある。
【０００６】
また、本発明の他の技術的手段は、前記掛け金具を係止ピンから抜け止めする抜け止め片が設けられている点にある。
また、本発明の他の技術的手段は、前記係止片は、上側のパレットサポート枠の下端部後側の一部を上側から係合するように、鉤形に屈曲した係止部を有し、係止片は、上側のパレットサポート枠の上方移動及び後方移動を規制するように構成されている点にある。
また、本発明の他の技術的手段は、前記パレットサポート枠は、左右一対の前支柱と、左右一対の後支柱とを備え、前記パレット台が左右一対の前支柱及び左右一対の後支柱の上端に設けられ、前記掛け金具が前支柱の上端部に設けられ、前記係止ピンが後支柱の後端部に設けられ、上側のパレットサポート枠の前支柱の下端部が外嵌するように、左右一対の前支柱の上端に係合突起が突設されている点にある。
【発明の効果】
【０００７】
本発明によれば、パレット台間にフォーク挿入空間を形成することなくパレット台が上下方向に重合するように、複数のパレットサポート枠を入れ子に積み重ねて、より多くのパレットサポート枠をトッラク等に積み込むことができ、輸送費用を安上がりになし得る。また、パレットサポート枠を保管する際に、パレット台間にフォーク挿入空間を形成することなく複数のパレットサポート枠を入れ子に積み重ねることも可能になり、パレットサポート枠の保管効率を高めることもできる。
【発明を実施するための最良の形態】
【０００８】
以下、本発明の実施の形態について図面を参照しながら説明する。
図１において、パレットサポート枠１は、左右一対の前支柱２と、左右一対の後支柱３と、前支柱２及び後支柱３の上端に設けられたパレット台４と、前支柱２及び後支柱３のの下端に設けられたコの字状の連結枠５とを備える。これら前支柱２、後支柱３、パレット台４、連結枠５は角パイプ等で構成されている。
連結枠５は、左右一対の側部杆７と一本の後部杆８とを有し、連結枠５は左右一対の前支柱２と左右一対の後支柱３の下端間を連結している。パレット台４は、複数本（図例では４本）の前後枠１１と複数本の左右枠１２とを格子状に連結して、矩形の格子枠状に形成されている。
【０００９】
左右一対の前支柱２は、左右一対の側部杆７の前端から上方に突出され、後部杆８は左右一対の側部杆７の後端同士を連結し、後部杆８の左右両端よりやや左右方向内方側から左右一対の後支柱３が上方突設されており、左右一対の後支柱３は、左右一対の前支柱２よりもやや左右方向内方側に配置されている。而して、パレットサポート枠１は、図６に示すようにパレット台４間に物品収納空間を形成するように複数のパレットサポート枠１が上下に積み重ねられる使用状態に積み重ね可能とされている。また、パレットサポート枠１は、図７又は図３、図５及び図８に示すように、複数のパレットサポート枠１が入れ子に積み重ねられる不使用状態に積み重ね可能とされている。
【００１０】
左右一対の前支柱２の下端部の後側であって左右一対の側部杆７の前端部上（介在位置Ｂ１）に、左右一対の前間隔ブロック１５が設けられ、左右一対の後支柱３の外側方であって側部杆７の後端部上（介在位置Ｂ２）に、左右一対の後間隔ブロック１６が設けられている。これら前間隔ブロック１５及び後間隔ブロック１６は、図７に示すように、複数のパレットサポート枠１を入れ子に積み重ねるときに、パレット台４間にフォーク挿入空間Ａを形成するようにパレット台４間に介在されるようになっている。
図２及び図３に示すように、左右一対の前間隔ブロック１５は、それぞれ取付片１８を介してボルト等の固定具１９により側部杆７に着脱自在に固定され、また、丁番２０により側部杆７に左右方向内方側に起伏回動自在に連結されている。各前間隔ブロック１５に係合突起２１が上方突設されている。
【００１１】
従って、前間隔ブロック１５は、パレット台４間に介在される介在位置Ｂ１とパレット台４間から外れる退避位置Ｃ１とに位置変更可能に設けられ、複数のパレットサポート枠１が入れ子に積み重ねられるときに、パレット台４間にフォーク挿入空間Ａを形成することなくパレット台４が上下方向に重合するように、前間隔ブロック１５が、パレット台４間に介在される介在位置Ｂ１から退避可能とされている。
図４及び図５に示すように、左右一対の後間隔ブロック１６は、取付片２３を介してボルト等の固定具２４により側部杆７に着脱自在に固定可能とされ、また、左右一対の後支柱３の内側方であって後部杆８の両端部上に、取付片２３を介してボルト等の固定具２４により着脱自在に固定可能されている。即ち、左右一対の側部杆７の後端部と後部杆８の両端部とにボルト等の固定具２４が螺合するねじ孔２５が設けられており、左右一対の後間隔ブロック１６を、左右一対の側部杆７の後端部上と後部杆８の両端部上とに選択的に固定できるようになっている。
【００１２】
従って、後間隔ブロック１６は、パレット台４間に介在される介在位置Ｂ２とパレット台４間から外れる退避位置Ｃ２とに位置変更可能とされ、複数のパレットサポート枠１が入れ子に積み重ねられるときに、パレット台４間にフォーク挿入空間Ａを形成することなくパレット台４が上下方向に重合するように、後間隔ブロック１６は、パレット台４間に介在される介在位置Ｂ２から退避可能とされている。
図８及び図９に示すように、複数のパレットサポート枠１を入れ子に積み重ねるときに、積み重ねたパレットサポート枠１が転倒しないように支持する補助柱２７が具備されている。補助柱２７は、矩形状の設置部２８と、設置部２８の前端部から上方突出した左右一対の短支持杆２９と、設置部２８の後端部から上方突出した左右一対の長支持杆３０と、一対の短支持杆２９の上端間に連結した第１嵌合体３２と、一対の短支持杆２９の上端間に連結した第２嵌合体３３とを備え、第１嵌合体３２及び第２嵌合体３３は、パレットサポート枠１の後部杆８に下側から嵌合するように上方が開口したコの字状に形成されている。
【００１３】
図１０及び図１１に示すように、左右一対の前支柱２の上端に、半球状の係合突起４１が突設されている。前支柱２の上端部に、掛け金具４２が止めピン４３によりその横軸（ピン軸）廻りに回動自在に支持され、掛け金具４２の遊端側に連結孔４４が設けられている。前支柱２の下端部にコの字状の補強部材４５が溶接等に固着され、係止ピン４６が補強部材４５を貫通して前支柱２の下端部に溶接等により前方突出状に固着され、係止ピン４６の外端部に係止凹部４７が環状に形成されている。掛け金具４２の上端部にプレス等で切り起こしてなる取付部４８に、ピアノ線等で構成した線状の弾性抜け止め片４９が下方突出状に固着されており、掛け金具４２を横軸廻り上方に回動して、掛け金具４２の遊端側を連結孔４４を介して係止ピン４６に係合したとき、弾性抜け止め片４９が止めピン４３の係止凹部４７に係合して、掛け金具４２を係止ピン４６から抜け止めするようになっている。
【００１４】
図１２及び図１３に示すように、パレット台４の後面の左右両端部に、係止孔５３を有する係止片５４が上方突設され、係止片５４の上端部は上方に行くに従って徐々に後方に向かうように湾曲されている。連結枠５の後部杆８の左右両端部に、前記係止片５４の係止孔５３に対応して係合ピン５５が後方突出状に貫通して固着され、図６及び図１０〜図１２に示すように、パレット台４間に物品収納空間を形成するように複数のパレットサポート枠１を上下に積み重ねたとき（使用状態）、図１２に示すように、上側のパレットサポート枠１の係合ピン５５が、下側のパレットサポート枠１の係止片５４の係止孔５３に挿通され、これにより、下側のパレットサポート枠１に対して上側のパレットサポート枠１が不測に外れないようになっている。
【００１５】
上記実施の形態によれば、物品を段積み保管するとき、図６、図１０、図１１及び図１２に示すように、パレット台４間に物品収納空間を形成するように複数のパレットサポート枠１を上下に積み重ねる（使用状態）。
この際に、図６、図１０、図１１に示すように、下段側のパレットサポート枠１の係合突起４１に上段側のパレットサポート枠１の前支柱２の下端部が外嵌し、これにより、下段側のパレットサポート枠１に対して上段側のパレットサポート枠１の前後方向及び左右方向への移動が規制される。また、図１２に示すように、上側のパレットサポート枠１の係合ピン５５が、下段側のパレットサポート枠１の係止片５４の係止孔５３に挿通され、これにより、下段側のパレットサポート枠１に対して上段側のパレットサポート枠１の左右方向及び上下方向の移動が規制される。このとき、図６、図１０及び図１１に示すように、掛け金具４２を横軸廻りに上方に回動して、掛け金具４２の遊端側を連結孔４４を介して係止ピン４６に係合し、弾性抜け止め片４９を止めピン４３の係止凹部４７に係合して、掛け金具４２を係止ピン４６から抜け止めする。これにより、下段側のパレットサポート枠１の前支柱２と上段側のパレットサポート枠１の前支柱２とが掛け金具４２を介して連結固定される。
【００１６】
従って、地震によって、上下に積み重ねた複数のパレットサポート枠１がた易く崩れて倒れたりするのを効果的に防ぐことができて、有効な地震対策を簡単に施すことができる。
そして、積み重ねた最下段のパレットサポート枠１内の物品収納空間に物品を収納するように、最下段のパレットサポート枠１の設置部上に、パレットに載せた物品をパレットごと載置すると共に、複数段の各パレットサポート枠１のパレット台４にパレットに載せた物品をパレットごと載せる。これにより、積み重ねた複数のパレットサポート枠１により、多くの物品を段積みにして保管することができる。
【００１７】
パレットサポート枠１の不使用時には、前間隔ブロック１５を、パレット台４間に介在される介在位置Ｂ１に固定すると共に、後間隔ブロック１６を、パレット台４間に介在される介在位置Ｂ２に固定し、この状態で、図７に示すように複数のパレットサポート枠１を入れ子に積み重ねる。すると、下段側のパレットサポート枠１の前間隔ブロック１５の係合突起２１に、上段側のパレットサポート枠１の前支柱２の下端部が外嵌し、各パレットサポート枠１のパレット台４間にフォーク挿入空間Ａが形成された状態で、複数のパレットサポート枠１が入れ子に積み重ねられる。従って、入れ子に積み重ねたパレットサポート枠１を取り出す場合、フォークリフトのフォークをパレット台４間のフォーク挿入空間Ａに挿入することにより、フォークリフトを使用してパレットサポート枠１を１つずつ簡単に取り出すことができる。
【００１８】
パレットサポート枠１をトラック等で輸送するときに、固定具１９を外して前間隔ブロック１５を丁番２０にて倒伏回動することにより、前間隔ブロック１５を、介在位置Ｂ１から退避位置Ｃ１に位置変更して、前間隔ブロック１５を介在位置Ｂ１から退避させ、固定具２４の着脱により、後間隔ブロック１６を、介在位置Ｂ２から退避位置Ｃ２とに位置変更して取り付けて、後間隔ブロック１６を介在位置Ｂ２から退避させ、この状態で、図８に示すように複数のパレットサポート枠１を入れ子に積み重ねる。そして、補助柱２７の第１嵌合体３２及び第２嵌合体３３を、パレットサポート枠１の後部杆８に下側から嵌合させて、積み重ねたパレットサポート枠１を補助柱２７で転倒しないように支持すればよい。
【００１９】
その結果、積み重ねた複数のパレットサポート枠１のパレット台４間にフォーク挿入空間Ａが形成されることなく互いに重合した状態になるため、トラックのコンテナ内等の限られたスペースに、例えば従来１９００個しか積めなかったものが、４８００個積めるようになり、多くのパレットサポート枠１をトラック等にコンパクトに積み込むことができ、運送費用が安上がりになる。また、パレットサポート枠１を保管する際に、パレット台４間にフォーク挿入空間を形成することなく複数のパレットサポート枠１を入れ子に積み重ねることも可能になり、パレットサポート枠１の保管効率を高めることもできる。
【００２０】
図１４〜図１６は他の実施形態を示し、貫通孔５８を有するリベット５９により弾性抜け止め片４９を掛け金具４２の上端部に下方突出状に固着したもので、リベット５９に貫通孔５８を介して弾性抜け止め片４９の上端部を挿通し、リベット５９を掛け金具４２に挿通してその突出端部をかしめることにより、リベット５９を掛け金具４２に固定して、弾性抜け止め片４９を掛け金具４２の上端部に下方突出状に固着している。その他の点は前記実施の形態の場合と同様の構成である。
図１７は他の実施形態を示し、前記弾性抜け止め片４９に代えて、板状の抜け止め片６１を使用するようにしたものであり、抜け止め片６１に長孔６２と嵌合凹部６３とが設けられ、前支柱２の下端部の係止ピン４６の上方に、支持突起６５を設け、この支持突起６５に、長孔６２を介して抜け止め片６１を外嵌して抜け止め片６１を支持突起６５に上下移動自在に保持し、掛け金具４２を横軸廻り上方に回動して、掛け金具４２の遊端側を連結孔４４を介して係止ピン４６に係合したときに、抜け止め片６１に長孔６２の範囲で下方移動することにより、抜け止め片６１の嵌合凹部６３を係止凹部４７に係合して、掛け金具４２を係止ピン４６から抜け止めするようになっている。
【００２１】
図１８は他の実施形態を示し、ピアノ線等で構成した線状の弾性抜け止め片４９に代えて、逆Ｕ字状に屈曲した弾性抜け止め片６７を設け、弾性抜け止め片６７で、係止ピン４６の係止凹部４７を両側から挟むようによう係合させて、掛け金具４２を係止ピン４６から抜け止めするようにしたものである。また、前記補強部材４５を省略している。その他の点は前記実施の形態の場合と同様の構成である。
図１９及び図２０は他の実施形態を示し、パレット台４の後面の左右両端部に、前記係止孔５３を有する係止片５４に代えて、鉤形に屈曲した係止部６７を有する係止片６８を上方突設すると共に、前記係合ピン５５を省略したものであり、パレット台４間に物品収納空間を形成するように複数のパレットサポート枠１を上下に積み重ねたとき（使用状態）、下側のパレットサポート枠１の係止片６８の係合部６７が、上側のパレットサポート枠１の後部杆８に上側から係合し、これにより、下側のパレットサポート枠１に対して上側のパレットサポート枠１の上方移動及び後方移動を規制するようにしたものである。その他の点は前記実施の形態の場合と同様の構成である。
【００２２】
なお、前記実施の形態では、パレットサポート枠１は、前支柱２及び後支柱３の上端にパレット台４が設けられ、前支柱２及び後支柱３の下端に連結枠５が設けられているが、これに代え、前支柱２及び後支柱３の下端にパレット台４を設け、前支柱２及び後支柱３の上端に連結枠５を設けるようにしてもよい。また、パレットサポート枠１の支柱は、左右一対の前支柱２及び左右一対の後支柱３の４本のものに限定されず、パレットサポート枠１は、支柱を３本、２本或いは１本のみ有するもの、又は支柱を５本以上有するものであってもよい。
【００２３】
また、パレットサポート枠１を輸送する方法はトラックによる輸送に限定されず、船、列車その他であってもよいことは勿論である。
【図面の簡単な説明】
【００２４】
【図１】本願発明の一実施の形態を示す斜視図である。
【図２】同前間隔ブロック部分の斜視図である。
【図３】同パレットサポート枠を入れ子に積み重ねた状態の前間隔ブロック部分の斜視図である。
【図４】同後感覚ブロック部分の斜視図である。
【図５】同パレットサポート枠を入れ子に積み重ねた状態の前間隔ブロック部分の斜視図である。
【図６】同パレットサポート枠を積み重ねた状態の正面図である。
【図７】同パレットサポート枠を入れ子に積み重ねた状態の側面図である。
【図８】同パレット台が重合するようにパレットサポート枠を入れ子に積み重ねた状態の側面図である。
【図９】同補助柱の斜視図である。
【図１０】同パレットサポート枠を積み重ねた状態の掛け金具部分の正面図である。
【図１１】同パレットサポート枠を積み重ねた状態の掛け金具部分の側面断面図である。
【図１２】同パレットサポート枠を積み重ねた状態の係止片及び係合ピン部分の側面断面図である。
【図１３】同パレットサポート枠を積み重ねた状態の係止片及び係合ピン部分の正面図である。
【図１４】他の実施形態を示す掛け金具部分の正面図である。
【図１５】同掛け金具部分の平面断面図である。
【図１６】同リベットの斜視図である。
【図１７】他の実施形態を示す掛け金部分の斜視図である。
【図１８】他の実施形態を示す掛け金部分の正面図である。
【図１９】他の実施形態を示すパレットサポート枠を積み重ねた状態の係止片部分の側面断面図である。
【図２０】同パレットサポート枠を積み重ねた状態の係止片部分の正面図である。
【符号の説明】
【００２５】
１      パレットサポート枠
２      前支柱
３      後支柱
４      パレット台
１５      後間隔ブロック
１６      前間隔ブロック
２７      補助柱
【図１】
2006182452.tif 000003
【図２】
2006182452.tif 000004
【図３】
2006182452.tif 000005
【図４】
2006182452.tif 000006
【図５】
2006182452.tif 000007
【図６】
2006182452.tif 000008
【図７】
2006182452.tif 000009
【図８】
2006182452.tif 000010
【図９】
2006182452.tif 000011
【図１０】
2006182452.tif 000012
【図１１】
2006182452.tif 000013
【図１２】
2006182452.tif 000014
【図１３】
2006182452.tif 000015
【図１４】
2006182452.tif 000016
【図１５】
2006182452.tif 000017
【図１６】
2006182452.tif 000018
【図１７】
2006182452.tif 000019
【図１８】
2006182452.tif 000020
【図１９】
2006182452.tif 000021
【図２０】
2006182452.tif 000022